(57)【特許請求の範囲】
【請求項１】
吸気ポートおよび排気ポートがそれぞれ形成されるとともに前記吸気ポートを開閉可能な吸気バルブと前記排気ポートを開閉可能な排気バルブとが設けられた複数の気筒を有する多気筒エンジンの排気装置であって、
１つの気筒あるいは排気順序が互いに連続しない複数の気筒の排気ポートにそれぞれ接続される独立排気通路と、
前記各独立排気通路の下流端に接続されて、当該各独立排気通路を通過するガスが集合する集合部と、
前記集合部よりも下流に設けられて、前記各気筒から排出された排気を浄化可能な触媒装置と、
前記集合部の上流側に設けられて、前記各独立排気通路の流路面積を変更可能な流路面積可変バルブと、
前記流路面積可変バルブを駆動可能な流路面積可変バルブ駆動手段と、
前記各気筒の吸気バルブの開弁期間と排気バルブの閉弁時期の少なくとも一方を変更可能なバルブタイミング可変機構を有するとともに前記各気筒の吸気バルブおよび排気バルブを駆動可能なバルブ駆動手段と、
前記各気筒内に燃料を供給可能な燃料供給手段とを備え、
前記流路面積可変バルブ駆動手段は、エンジンの回転数が予め設定された基準回転数よりも低い低速領域において、少なくともエンジンに対する要求トルクが高い高負荷領域では、前記各独立排気通路の流路面積が最大面積よりも小さくなるように前記流路面積可変バルブを駆動し、
前記バルブ駆動手段は、前記低速領域の少なくとも前記高負荷領域において、前記各気筒の吸気バルブの開弁期間と排気バルブの開弁期間とが所定のオーバーラップ期間重複し、かつ、排気順序が連続する気筒間において一方の気筒の前記オーバーラップ期間中に他方の気筒の排気バルブが開弁するように各気筒の吸気バルブおよび排気バルブを駆動するとともに、前記低速領域の少なくとも前記高負荷領域において、前記触媒の未活性時は、前記吸気ポートから流入した吸気が前記気筒を通過して前記排気ポートに吹き抜けるような大きいオーバーラップ期間、前記各気筒の吸気バルブの開弁期間と排気バルブの開弁期間とが重複するように、各気筒の吸気バルブおよび排気バルブを駆動し、
前記バルブタイミング可変機構は、前記エンジンの回転数が前記基準回転数よりも高い高速領域において、前記オーバーラップ期間が前記低速領域におけるオーバーラップ期間よりも小さくなるように、この低速領域と高速領域とで、前記各気筒の吸気バルブの開弁時期と排気バルブの閉弁時期の少なくとも一方を変更するとともに、前記低速領域の少なくとも前記高負荷領域において、前記触媒の活性時の方が前記触媒の未活性時に比べて前記オーバーラップ期間が小さくなるように、この触媒の活性時と触媒の未活性時とで、前記各気筒の吸気バルブの開弁時期と排気バルブの閉弁時期の少なくとも一方を変更し、
前記燃料供給手段は、前記低速領域の少なくとも前記高負荷領域において、前記触媒の未活性時は、前記気筒内の混合気の空気過剰率λがλ＜１となり、かつ、前記集合部内の混合気の空気過剰率λがλ＝１となる量の燃料を前記気筒内に供給することを特徴とする多気筒エンジンの排気装置。
【請求項２】
請求項１に記載の多気筒エンジンの排気装置であって、
前記気筒内の混合気に点火可能な点火手段を備え、
前記点火手段は、前記低速領域の少なくとも前記高負荷領域において、前記触媒の未活性時は、当該触媒の活性時よりも遅角側の時期で前記混合気に点火することを特徴とする多気筒エンジンの排気装置。
【請求項３】
請求項１または２に記載の多気筒エンジンの排気装置であって、
前記バルブ駆動手段は、前記低速領域の少なくとも前記高負荷領域において、前記触媒の活性時は、前記オーバーラップ期間がエンジン出力が最大となるオーバーラップ期間のうち最も小さい期間となるように、前記吸気バルブと前記排気バルブとを駆動する一方、前記触媒の未活性時は、前記オーバーラップ期間が充填効率が最大となるオーバーラップ期間となるように前記吸気バルブと前記排気バルブとを駆動することを特徴とする多気筒エンジンの排気装置。
【発明の詳細な説明】
【技術分野】
【０００１】
本発明は、触媒を備えた多気筒エンジンの排気装置に関する。
【背景技術】
【０００２】
従来、自動車等において、エンジン本体の下流に設けられた触媒を早期に活性化させることを目的とした装置の開発が行なわれている。
【０００３】
例えば、特許文献１には、排気通路に触媒設けられたエンジンの排気装置であって、排気通路のうち触媒の上流部分に接続されてこの触媒の上流に空気を供給するための空気供給装置と、この空気供給装置から触媒上流に供給する空気量を調整するための制御バルブとを備えたものが開示されている。この装置では、前記空気供給装置により触媒上流部分に空気ひいては酸素を供給することで、排気中の一酸化炭素の酸化反応を促進させて触媒の活性化を図っている。
【先行技術文献】
【特許文献】
【０００４】
【特許文献１】特開平５−５９９３７号公報
【発明の概要】
【発明が解決しようとする課題】
【０００５】
前記従来の装置では、触媒の上流に別途空気供給装置および制御バルブ等を設けねばならず、構造が複雑である。
【０００６】
本発明は、このような事情に鑑み、簡単な構成で触媒を早期に活性化させることのできる多気筒エンジンの排気装置の提供を目的とする。
【課題を解決するための手段】
【０００７】
上記課題を解決するために、本発明は、吸気ポートおよび排気ポートがそれぞれ形成されるとともに前記吸気ポートを開閉可能な吸気バルブと前記排気ポートを開閉可能な排気バルブとが設けられた複数の気筒を有する多気筒エンジンの排気装置であって、１つの気筒あるいは排気順序が互いに連続しない複数の気筒の排気ポートにそれぞれ接続される独立排気通路と、前記各独立排気通路の下流端に接続されて、当該各独立排気通路を通過するガスが集合する集合部と、前記集合部よりも下流に設けられて、前記各気筒から排出された排気を浄化可能な触媒装置と、前記集合部の上流側に設けられて、前記各独立排気通路の流路面積を変更可能な流路面積可変バルブと、前記流路面積可変バルブを駆動可能な流路面積可変バルブ駆動手段と、前記各気筒の吸気バルブの開弁期間と排気バルブの閉弁時期の少なくとも一方を変更可能なバルブタイミング可変機構を有するとともに前記各気筒の吸気バルブおよび排気バルブを駆動可能なバルブ駆動手段と、
前記各気筒内に燃料を供給可能な燃料供給手段とを備え、前記流路面積可変バルブ駆動手段は、エンジンの回転数が予め設定された基準回転数よりも低い低速領域において、少なくともエンジンに対する要求トルクが高い高負荷領域では、前記各独立排気通路の流路面積が最大面積よりも小さくなるように前記流路面積可変バルブを駆動し、前記バルブ駆動手段は、前記低速領域の少なくとも前記高負荷領域において、前記各気筒の吸気バルブの開弁期間と排気バルブの開弁期間とが所定のオーバーラップ期間重複し、かつ、排気順序が連続する気筒間において一方の気筒の前記オーバーラップ期間中に他方の気筒の排気バルブが開弁するように各気筒の吸気バルブおよび排気バルブを駆動するとともに、前記低速領域の少なくとも前記高負荷領域において、前記触媒の未活性時は、前記吸気ポートから流入した吸気が前記気筒を通過して前記排気ポートに吹き抜けるような大きいオーバーラップ期間、前記各気筒の吸気バルブの開弁期間と排気バルブの開弁期間とが重複するように、各気筒の吸気バルブおよび排気バルブを駆動し、前記バルブタイミング可変機構は、前記エンジンの回転数が前記基準回転数よりも高い高速領域において、前記オーバーラップ期間が前記低速領域におけるオーバーラップ期間よりも小さくなるように、この低速領域と高速領域とで、前記各気筒の吸気バルブの開弁時期と排気バルブの閉弁時期の少なくとも一方を変更するとともに、前記低速領域の少なくとも前記高負荷領域において、前記触媒の活性時の方が前記触媒の未活性時に比べて前記オーバーラップ期間が小さくなるように、この触媒の活性時と触媒の未活性時とで、前記各気筒の吸気バルブの開弁時期と排気バルブの閉弁時期の少なくとも一方を変更し、前記燃料供給手段は、前記低速領域の少なくとも前記高負荷領域において、前記触媒の未活性時は、前記気筒内の混合気の空気過剰率λがλ＜１となり、かつ、前記集合部内の混合気の空気過剰率λがλ＝１となる量の燃料を前記気筒内に供給することを特徴とする多気筒エンジンの排気装置を提供する。
【０００８】
本装置によれば、触媒上流側に別途空気を導入するための装置を設けることなく、エゼクタ効果により掃気を促進して吸気効率を高めてこれによりエンジン出力を高めることができるとともに、触媒未活性時において触媒をより早期に活性させつつ触媒活性後の過渡時において吸気バルブあるいは排気バルブの追従性が悪化するのを抑制することができる。
【０００９】
すなわち、この装置では、低速領域のうち少なくとも高負荷領域において、前記流路面積可変バルブにより独立排気通路の流路面積が縮小されてエンジンから排出された排気がこの独立排気通路を高速で通過するよう構成されており、所定の独立排気通路から高速の排気が噴出されることで、エゼクタ効果により他の独立排気通路内のガスが吸い出される。ここで、低速領域のうち少なくとも高負荷領域では、所定の気筒のオーバーラップ期間中に他の気筒の排気バルブが開弁しており、この排気バルブの開弁に伴って所定の独立排気通路から高速の排気が噴出することで前記エゼクタ効果によって前記オーバーラップ期間にある気筒内のガスが吸い出されるため、このオーバーラップ期間にある気筒内の掃気が促進されて吸気効率が高められる。一方、高速領域では、排気流量が多くなり背圧が高くなり、前記オーバーラップ期間が大きいと排気ポート側の排気が気筒内に逆流するおそれがある。これに対して、この高速領域では前記オーバーラップ期間が小さくされており、高速領域においても吸気効率が高く維持される。
【００１０】
そして、触媒の未活性には、前記オーバーラップ期間が大きく確保されて前記エゼクタ効果による吸出し力が気筒内に長い時間作用することで吸気ポート内のガスすなわち空気が排気ポート側に吹き抜けるよう構成されており、この空気によって、排気ポートから触媒上流までの部分および触媒内での酸化反応が促進されるため、触媒をより早期に活性化させることができる。
【００１１】
一方、低速領域においてオーバーラップ期間を大きくしすぎると、高速領域とのオーバーラップ期間の差が大きくなり低速領域から高速領域あるいはその逆方向の過渡時において吸気バルブあるいは排気バルブの応答性が悪化するおそれがある。これに対して、本装置では、低速領域において触媒の活性時には触媒の未活性時に比べて前記オーバーラップ期間が小さくされており、触媒活性時において前記応答性の悪化が抑制される。
【００１３】
また、この構成によれば、触媒の未活性時において未燃燃料が気筒から触媒側に排出されて、前記気筒から触媒側に吹き抜けた空気とこの未燃燃料とが、排気ポートから触媒上流までの部分および触媒内で反応するため、触媒温度をより早期に高めて触媒をより早期に活性化させることができる。
【００１５】
しかも、この構成によれば、排気ポートから触媒上流までの部分および触媒内において未燃燃料と空気とをより確実に過不足なく反応させることができ、過剰な空気あるいは未燃燃料が触媒内あるいは触媒下流側に流出するのを抑制することができる。
【００１６】
また、本発明において、前記気筒内の混合気に点火可能な点火手段を備え、前記点火手段は、前記低速領域の少なくとも前記高負荷領域において、前記触媒の未活性時は、当該触媒の活性時よりも遅角側の時期で前記混合気に点火するのが好ましい（請求項２）。
【００１７】
このように、より遅角側において混合気に点火されれば、気筒からより多くの未燃燃料が排出されて排気ポートから触媒上流までの部分および触媒内における酸化反応が促進されるとともにより高温の排気が排出されるため、触媒をより確実に早期に活性化させることができる。
【００１８】
また、本発明において、前記バルブ駆動手段は、前記低速領域の少なくとも前記高負荷領域において、前記触媒の活性時は、前記オーバーラップ期間がエンジン出力が最大となるオーバーラップ期間のうち最も小さい期間となるように、前記吸気バルブと前記排気バルブとを駆動する一方、前記触媒の未活性時は、前記オーバーラップ期間が充填効率が最大となるオーバーラップ期間となるように前記吸気バルブと前記排気バルブとを駆動するのが好ましい（請求項３）。
【００１９】
この構成によれば、触媒の活性時には、オーバーラップ期間が小さくされることで過渡時の応答性の悪化を抑制しつつ最大エンジン出力を得ることができるとともに、触媒の未活性時には、充填効率を最大として触媒側に流入する空気量が多くされることで触媒をより早期に活性化させることができる。
【発明の効果】
【００２０】
以上のように、本発明によれば、エゼクタ効果を利用してエンジン出力を高めることができるとともに、触媒をより早期に活性させることができる。
【図面の簡単な説明】
【００２１】
【図１】本発明の実施形態に係る多気筒エンジンの排気装置を備えたエンジンシステムの概略構成図である。
【図２】図１に示すエンジン本体１の下流側の部分を下から見た図である。
【図３】図２に示すエンジン本体１の下流側の部分の側面図である。
【図４】図３のＩＶ−ＩＶ線断面図である。
【図５】低速側通路および高速側通路の集合部分の構成を説明するための図である。
【図６】各気筒の吸気バルブおよび排気バルブのバルブタイミングを説明するための図である。
【図７】流路面積可変バルブの開度マップを示した図である。
【図８】吸気バルブおよび排気バルブのオーバーラップ期間のマップを示した図である。
【図９】排気バルブのバルブタイミングを説明するための図である。
【図１０】回転数の変化に伴う吸気バルブおよび排気バルブのバルブタイミングの変化を示した図である。
【図１１】本発明の他の実施形態に係る多気筒エンジンの排気装置における吸気バルブおよび排気バルブのバルブタイミングの変化を示した図である。
【図１２】本発明の他の実施形態に係る多気筒エンジンの排気装置における吸気バルブおよび排気バルブの開弁時期および閉弁時期を説明するための図である。
【発明を実施するための形態】
【００２２】
本発明に係る多気筒エンジンの排気装置の実施形態について図面を参照しながら説明する。
【００２３】
図１は前記多気筒エンジンの排気装置を備えたエンジンシステム１００の概略構成図である。このエンジンシステム１００は、シリンダヘッド９およびシリンダブロックを有するエンジン本体１と、エンジン制御用のＥＣＵ２と、エンジン本体１に接続される排気マニホールド５と、排気マニホールド５に接続される触媒装置６とを備えている。
【００２４】
前記シリンダヘッド９およびシリンダブロックの内部にはピストンがそれぞれ嵌挿された複数の気筒１２が形成されている。本実施形態では、４つの気筒１２、具体的には、図１の右から順に第１気筒１２ａ，第２気筒１２ｂ，第３気筒１２ｃ，第４気筒１２ｄが形成されている。前記シリンダヘッド９には、ピストンの上方に区画された燃焼室内に臨むようにそれぞれ点火プラグ（点火手段）１５およびインジェクタ（燃料供給手段）１６が設置されている。前記点火プラグ１５は図示しない点火装置により駆動され、インジェクタ１６は図示しない噴射装置により駆動される。また、前記シリンダブロックには、エンジン水温を計測するためのエンジン水温センサ７０が取り付けられている。
【００２５】
前記エンジン本体１は４サイクルエンジンであって、図６に示すように、各気筒１２ａ〜１２ｄにおいて、１８０℃Ａずつずれたタイミングで前記点火プラグ１５による点火が行われて、吸気行程、圧縮行程、膨張行程、排気行程がそれぞれ１８０℃Ａずつずれるように構成されている。本実施形態では、第１気筒１２ａ→第３気筒１２ｃ→第４気筒１２ｄ→第２気筒１２ｂの順に点火が行われてこの順に排気行程等が実施される。
【００２６】
各気筒１２の上部には、それぞれ燃焼室に向かって開口する２つの吸気ポート１７および２つの排気ポート１８が設けられている。吸気ポート１７は、各気筒１２内に吸気を導入するためのものである。排気ポート１８は、各気筒１２内から排気を排出するためのものである。各吸気ポート１７には、これら吸気ポート１７を開閉して吸気ポート１７と気筒１２内部とを連通あるいは遮断するための吸気バルブ１９が設けられている。各排気ポート１８には、これら排気ポート１８を開閉してこれら排気ポート１８と気筒１２内部とを連通あるいは遮断するための排気バルブ２０が設けられている。前記吸気バルブ１９は吸気バルブ駆動機構（バルブ駆動手段）３０により駆動されることで、所定のタイミングで吸気ポート１７を開閉する。また、前記排気バルブ２０は、排気バルブ駆動機構（バルブ駆動手段）４０により駆動されて、所定のタイミングで排気ポート１８を開閉する。
【００２７】
前記吸気バルブ駆動機構３０は、吸気バルブ１９に連結された吸気カムシャフト３１と吸気ＶＶＴ（バルブタイミング可変機構）３２とを有している。吸気カムシャフト３１は、周知のチェーン／スプロケット機構等の動力伝達機構を介してクランクシャフトに連結されており、クランクシャフトの回転に伴い回転して、吸気バルブ１９を開閉駆動する。
【００２８】
前記吸気ＶＶＴ３２は、吸気バルブ１９のバルブタイミングを変更するためのものである。この吸気ＶＶＴ３２は、吸気カムシャフト３１と同軸に配置されてクランクシャフトにより直接駆動される所定の被駆動軸と吸気カムシャフト３１との間の位相差を変更して、これによりクランクシャフトと前記吸気カムシャフト３１との間の位相差を変更することで、吸気バルブ１９のバルブタイミングを変更する。吸気ＶＶＴ３２の具体的構成としては、例えば、前記被駆動軸と前記吸気カムシャフト３１との間に周方向に並ぶ複数の液室を有し、これら液室間に圧力差を設けることで前記位相差を変更する液圧式機構や、前記被駆動軸と前記吸気カムシャフト３１との間に設けられた電磁石を有し、前記電磁石に電力を付与することで前記位相差を変更する電磁式機構等が挙げられる。この吸気ＶＶＴ３２は、ＥＣＵ２で算出された吸気バルブ１９の目標バルブタイミングに基づいて前記位相差を変更する。
【００２９】
前記排気バルブ駆動機構４０は、前記吸気バルブ駆動機構３０と同様の構造を有している。すなわち、排気バルブ駆動機構４０は、排気バルブ２０およびクランクシャフトに連結された排気カムシャフト４１と、この排気カムシャフト４１とクランクシャフトとの位相差を変更することで排気バルブ２０のバルブタイミングを変更する排気ＶＶＴ４２（バルブタイミング可変機構）とを有している。排気ＶＶＴ４２は、ＥＣＵ２で算出された排気バルブ２０の目標バルブタイミングに基づいて、前記位相差を変更する。そして、排気カムシャフト４１は、この位相差の下でクランクシャフトの回転に伴って回転して排気バルブ２０を前記目標バルブタイミングで開閉駆動する。
【００３０】
なお、本実施形態では、前記吸気ＶＶＴ３２および排気ＶＶＴ４２は、吸気バルブ１９および排気バルブ２０の開弁期間及びリフト量つまりバルブ・プロファイルをそれぞれ一定に保ったまま、吸気バルブ１９および排気バルブ２０の開弁時期と閉弁時期とをそれぞれ変更する。
【００３１】
前記各気筒１２の排気ポート１８は、その下流側において独立排気通路５２に接続されている。前記気筒１２のうち第１気筒１２ａの排気ポート１８と第４気筒１２ｄの排気ポート１８とは、それぞれ個別に独立排気通路５２ａ、５２ｄに接続されている。一方、排気行程が隣り合わず排気順序が連続しない第２気筒１２ｂと第３気筒１２ｃの排気ポート１８は、１つの独立排気通路５２ｂに接続されている。これら独立排気通路５２は、互いに独立しており、第２気筒１２ｂあるいは第３気筒１２ｃから排出された排気と、第１気筒１２ａから排出された排気と、第４気筒１２ｄから排出された排気とは、互いに独立して各独立排気通路５２内を通って下流側に排出される。本実施形態では、これら独立排気通路５２の上流部分は前記シリンダヘッド９内に形成されており、これら独立排気通路５２の下流部分は前記排気マニホールド５に設けられている。
【００３２】
前記排気マニホールド５は、前述のように前記排気ポート１８に接続される３つの独立排気通路５２に加えて、３つの流路面積可変バルブ５８と、低速側集合部５６とを備えている。
【００３３】
前記独立排気通路５２は、その下流側、本実施形態では前記排気マニホールド５の上流端付近、において、それぞれ高速側通路５３と低速側通路５４とに分離している。本実施形態では、図２および図３に示すように、高速側通路５３は、それぞれシリンダヘッド９に形成された独立排気通路５２の上流側部分から直線的に後方に延びた後下方に湾曲する形状を有しており、低速側通路５４は、前記排気マニホールド５の上流端付近から下方に湾曲した後高速側通路５３の下方を通りこれら高速側通路５３と同様に直線的に後方に延びた後下方に湾曲する形状を有している。
【００３４】
前記各高速側通路５３の断面積すなわち流路面積は互いに同一に設定されており、各低速側通路５４の断面積すなわち流路面積は、互いに同一に設定されている。また、各高速側通路５３の流路面積は低速側通路５４の流路面積よりも大きく設定されている。
【００３５】
前記流路面積可変バルブ５８は、前記各高速側通路５３の流路面積を変更し、これにより各独立排気通路５２の流路面積を変更するためのものである。これら流路面積可変バルブ５８は各高速側通路５３内にそれぞれ１つずつ設けられている。本実施形態では、これら流路面積可変バルブ５８は、高速側通路５３内の上流端付近であって高速側通路５３内と低速側通路５４とが分離する付近に設けられている。
【００３６】
前記流路面積可変バルブ５８は、その中央に設けられた回動軸５８ａが回動駆動されるに伴いこの回動軸５８ａを中心として回動する。本実施形態では、各流路面積可変バルブ５８に、共通の回動軸５８ａが固定されており、３つの流路面積可変バルブ５８は一体に回動する。各流路面積可変バルブ５８は、排気の流れ方向と略平行な方向に広がる全開位置（図３の破線）と、排気の流れ方向と略垂直な方向に広がる全閉位置（図３の実線）との間で回動し、高速側通路５３を開閉して高速側通路５３の流路面積を変更する。なお、図３では、流路面積可変バルブ５８の全開位置と全閉位置とをより明確に示すために、高速側通路５３内に配置されて破線で示されるべき流路面積可変バルブ５８を全閉位置にある状態で実線で示している。
【００３７】
前記回動軸５８ａは、その端部に設けられたバルブアクチュエータ（流路面積可変バルブ駆動手段）５８ｂにより回動駆動される。このバルブアクチュエータ５８ｂは、ＥＣＵ２で算出された流路面積可変バルブの目標開度に応じて、前記回動軸５８ａを回動させて流路面積可変バルブ５８を全閉あるいは全開位置に駆動する。このバルブアクチュエータ５８ｂは前記回動軸５８ａを回動駆動して前記流路面積可変バルブ５８を回動可能なものであればどのようなものであってもよい。
【００３８】
前記低速側集合部５６は、前記低速側通路５４の下流側に設けられる部分である。この低速側集合部５６は、各低速側通路５４と連通した状態で各低速側通路５４の下流端に接続されており、各低速側通路５４を通過したガスはこの低速側集合部５６に流入してこの低速側集合部５６にて集合する。この低速側集合部５６において、前記３つの低速側通路５４の下流端は互いに隣接する位置に配置されている。
【００３９】
前記低速側集合部５６は略円筒状であって、その上流端の断面は略円形を有している。各低速側通路５４は、上流側では断面がそれぞれ略円形であって略円筒状をなす一方、下流端付近５５では断面が円形から下流に向かうに従って徐々に扇形となっている。そして、これら低速側通路５４は、扇形をなす各下流端が全体として略円形断面を形成するように集合して前記低速側集合部５６の円形断面の上流端に接続されており、低速側集合部５６の上流端の断面形状および断面積と３つの低速側通路５４の下流端全体の断面形状および断面積とはほぼ同一に設定されている。すなわち、各通路の構成を模式的に示した図５において、３×Ａ１（低速側通路５４の下流端の断面積の合計）＝Ｓ１０（低速側集合部５６の上流端の断面積）に設定されている。
【００４０】
そして、前記低速側集合部５６は、その上流端から下流に向かうに従って縮径してその断面積すなわち流路面積が下流に向かうに従って縮小する形状を有しており、低速側集合部５６の下流端の断面積Ｓ１１が上流端の断面積Ｓ１０よりも小さく（Ｓ１１＜Ｓ１０＝３×Ａ１）設定されている。このように流路面積が絞られるように構成された低速側集合部５６に、各低速側通路５４から排気が高速で流入する。
【００４１】
前記低速側集合部５６の下流端には前記触媒装置６の後述するケーシング６２が接続されており、前記低速側通路５４に流入した排気はこの低速側集合部５６を高速で通過した後、前記ケーシング６２内に流入する。
【００４２】
前記触媒装置６は、エンジン本体１から排出された排気を浄化するための装置である。この触媒装置６は、ＣＯ、ＨＣ、ＮＯｘを浄化可能な三元触媒からなる触媒本体６４とこの触媒本体６４を収容するケーシング６２とを備えている。ケーシング６２は排気の流れ方向と平行に延びる略円筒状を有している。前記触媒本体６４は、前記ケーシング６２の下流部分に収容されており、このケーシング６２の上流部分には、ケーシング６２に流入したガスが混合可能な所定の空間が形成されている。
【００４３】
前記触媒装置６のケーシング６２は、前記低速側集合部５６および各高速側通路５３と連通した状態でこれら低速側集合部５６の下流端および各高速側通路５３の下流端に接続されている。従って、前記低速側集合部５６を通過した排気および各高速側通路５３を通過した排気はこのケーシング６２に流入してこのケーシング６２の上流部分にて集合する。このように、本実施形態では、触媒装置６のケーシング６２の上流部分６２ａが、各独立排気通路を通過したガスが集合する集合部として機能する。そして、前記低速側通路５４に流入した排気は前記低速側集合部５６に流入した後このケーシング６２に流入する一方、高速側通路５３に流入したガスは途中で集合することなくこのケーシング６２に流入してこのケーシング６２にて集合する。
【００４４】
本実施形態では、前記３つの高速側通路５３は前記ケーシング６２の上流端において互いに隣接する位置に配置されている。
【００４５】
このケーシング６２の上流部分６２ａは、その上端の断面積Ｓ２０が前記低速側集合部５６の下流端の断面積Ｓ１１および各高速側通路５３の下流端の断面積Ａ２の合計面積よりも大きく、かつ、その上流端から所定距離の間、下流に向かうに従って拡径する形状を有している。すなわち、図５において、３×Ａ２＋Ｓ１１（高速側通路５３の下流端の断面積Ａ２の合計３×Ａ２と低速側集合部５６の下流端の断面積Ｓ１１との和）＞Ｓ２０（ケーシング６２の上流端の断面積）に設定されているとともに、Ｓ２０＜Ｓ２１（ケーシング６２の下流側の断面積）に設定されている。各高速側通路５３を通過した排気は、このように断面積が大きく容積の大きいケーシングに流入する。従って、各高速側通路５３を通過する排気は、その背圧が小さく抑えられて排気抵抗が少ない状態で円滑にケーシング６２内に流入する。
【００４６】
前記ケーシング６２には、触媒本体６４の上流側であって前記集合部として機能する上流部分７２ａに、空燃比センサ６６が取り付けられている。この空燃比センサ６６は、排ガス中の酸素濃度に基づき排気の空燃比を計測するためのものである。この空燃比センサ６６は、排気の空燃比が理論空燃比以上であって空気過剰率λが１以上の場合は、０Ｖ付近の信号を出力し、排気の空燃比が理論空燃比よりも小さく空気過剰率λが１未満の場合は、１Ｖ付近の信号を出力する。この空燃比センサ６６の信号は、前記ＥＣＵ２に送信される。
【００４７】
前記ＥＣＵ２は、周知のマイクロコンピュータをベースとするコントローラであって、プログラムを実行するためのＣＰＵと、ＲＡＭやＲＯＭからなりプログラム及びデータを格納するメモリと、各種信号の入出力を行なうＩ／Ｏバスとを備えている。このＥＣＵ２は、前記Ｉ／Ｏバスを介して各種センサからの信号を受け、この信号に基づき種々の演算を行う。
【００４８】
ＥＣＵ２は、運転条件に応じて、吸気バルブ１９および排気バルブ２０の目標バルブタイミングを演算するとともに、前記流路面積可変バルブ５８の目標開度を演算して、吸気バルブ１９および排気バルブ２０のバルブタイミング、流路面積可変バルブの開度がこれら目標値になるように、吸気ＶＶＴ３２および排気ＶＶＴ４２、前記バルブアクチュエータ５８ｂを駆動する。また、ＥＣＵ２は、運転条件に応じて、燃料噴射量および点火時期を演算して、これらに応じた信号を前記噴射装置および前記点火装置に送信する。
【００４９】
まず、前記目標バルブタイミングおよび流路面積可変バルブ５８の目標開度の演算について説明する。
【００５０】
前記ＥＣＵ２には、運転条件に応じて予め設定された目標バルブタイミング、具体的には、吸気バルブ１９と排気バルブ２０の目標バルブタイミングのマップが記憶されており、ＥＣＵ２は、このマップから運転条件に応じて目標バルブタイミングを抽出する。また、ＥＣＵ２には、運転条件に応じて予め設定された流路面積可変バルブ５８の目標開度のマップが記憶されており、ＥＣＵ２は、このマップから運転条件に応じて流路面積可変バルブ５８の目標開度を抽出する。
【００５１】
前記目標バルブタイミングおよび流路面積可変バルブ５８の目標開度の設定について、次に説明する。
【００５２】
エンジン本体１から下流側の排気系が前記のように構成された本エンジンシステム１００では、所定の気筒１２（以下、適宜、排気行程気筒１２という）の排気バルブ２０が開弁すると、この気筒１２の排気ポート１８から対応する前記独立排気通路５２に排気が流入する。このとき、前記高速側通路５３を遮断して独立排気通路５２のうち低速側通路５４のみを開放した場合には、前記排気は前記低速側通路５４にのみ流入する。前述のように、この低速側通路５４の流路面積は独立排気通路５２さらには高速側通路５３よりも小さく設定されている。さらに、低速側通路５４の下流に設けられた前記低速側集合部５６は、下流に向かうほど流路面積が小さくなっている。従って、前記排気は、前記低速側集合部５６を高速で通過する。
【００５３】
このようにして、低速側集合部５６に所定の低速側通路５４から高速の排気が噴出されると、この排気の周囲に発生した負圧作用すなわちエゼクタ効果により低速側集合部５６に連通している他の低速側通路５４に、その内部のガスを下流側へと吸い出す力が作用する。
【００５４】
そのため、前記排気行程気筒１２の排気バルブ２０の開弁時において、排気順序がこの排気行程気筒１２の１つ前に設定された他の気筒１２（以下、適宜、吸気行程気筒１２という）の排気バルブ２０と吸気バルブ１９とをいずれも開弁させておけば、前記吸出し力が、この吸気行程気筒１２に接続された低速側通路５４を介して吸気行程気筒１２内のガスに作用し、この吸出し力により吸気行程気筒１２内の残留ガスが多量に気筒１２内から吸い出される結果、吸気行程気筒１２内に吸気ポート１７から吸気バルブ１９を介して多量に吸気を流入させることができる。
【００５５】
しかしながら、エンジン回転数が高く排気流量が大きい場合に、前記のように排気を流路面積の小さい低速側通路５４のみに流入させると、背圧が高くなることでかえって気筒１２からの残留ガスの排出が小さく抑えられてしまう。
【００５６】
そこで、本エンジンシステム１００では、エンジン回転数が第１基準回転数Ｎ１よりも低い低中速領域Ｒ１０（図７参照）において、図６に示すように、前記流路面積可変バルブの目標開度を全閉に設定して、吸気バルブ１９と排気バルブ２０の両方がＴＤＣ（上死点）を挟んで所定のオーバーラップ期間Ｔ＿Ｏ／Ｌ開弁するように、すなわち、排気バルブ２０の開弁期間と吸気バルブ１９の開弁期間とがオーバーラップするように、かつ、排気バルブ２０が、排気行程が連続する他の気筒１２の前記オーバーラップ期間Ｔ＿Ｏ／Ｌ中、より詳細には、ＢＤＣ（下死点）付近で、開弁を開始するように設定する。そして、前記エゼクタ効果により低中速領域Ｒ１０の吸気量を増大させる。
【００５７】
具体的には、第１気筒１２ａの吸気バルブ１９と排気バルブ２０とがオーバーラップしている期間中に第３気筒１２ｃの排気バルブ２０が開弁を開始し、第３気筒１２ｃの吸気バルブ１９と排気バルブ２０とがオーバーラップしている期間中に第４気筒１２ｄの排気バルブ２０が開弁を開始し、第４気筒１２ｄの吸気バルブ１９と排気バルブ２０とがオーバーラップしている期間中に第２気筒１２ｂの排気バルブ２０が開弁を開始し、第２気筒１２ｂの吸気バルブ１９と排気バルブ２０とがオーバーラップしている期間中に第１気筒１２ａの排気バルブ２０が開弁を開始するよう設定されている。
【００５８】
一方、エンジン回転数が前記第１基準回転数Ｎ１よりも高い高速領域Ｒ３（図７参照）では、前記流路面積可変バルブの目標開度を全開に設定する。これにより、高速領域Ｒ３では、排気行程中の気筒１２から独立排気通路に流入した排気は、前記低速側通路に加えて流路面積が低速側通路５４の流路面積よりも大きく設定された高速側通路５３に流入した後、前記触媒装置６ケーシング６２に流入する。ここで、これら高速側通路５３を通過したガスが集合するこのケーシング６２の上流部分６２ａは、その流路面積が各高速側通路５３の下流端の合計面積よりも大きく設定されているとともに、下流に向かうほど拡径する形状を有している。そのため、各高速側通路５３を通過したガスはこのケーシング６２の上流部分６２ａにおいて膨張し、各高速側通路５３の背圧は低く抑えられて、前記排気は少ない抵抗でこの高速側通路５３を円滑に通過し、排気の流量が確保されて、吸気が円滑に気筒１２内に流入し、吸気量が確保される。
【００５９】
また、前記高速領域Ｒ３では、排気バルブ２０と吸気バルブ１９オーバーラップ期間Ｔ＿Ｏ／Ｌは、中低速領域Ｒ１０での値よりも小さく設定されている。具体的には、図７および図８に示すように、中低速領域Ｒ１０よりも排気バルブ２０の閉弁時期ＥＶＣが進角側に設定されて吸気バルブ１９の開弁時期ＩＶＯが遅角側に設定されている。
【００６０】
排気流量が多い高速領域Ｒ３では、オーバーラップ期間中に、排気行程側の気筒１２から排出された排気が吸気行程側の気筒１２に逆流するおそれがある。これに対して、前記のようにオーバーラップ期間が小さく設定されることでこの逆流が確実に回避されて、吸気量が確保されるようになっている。また、エンジン回転数ＮＥが高くなると吸気慣性により気筒１２に吸気が流入するタイミングは遅角側に移行して、気筒１２に流入する吸気量が最大となる時期は遅角側に移行するが、吸気バルブ１９の開弁時期がより遅角側に設定されていることによっても吸気量が確保される。
【００６１】
次に、前記低中速領域Ｒ１０におけるオーバーラップ期間のより詳細な設定について説明する。
【００６２】
図９に、エンジン回転数ＮＥ＝１０００ｒｐｍ、１５００ｒｐｍ、２０００ｒｐｍそれぞれについて、オーバーラップ期間Ｔ＿Ｏ／Ｌを変化させた際の充填効率ηｃの変化を示す。また、図１０に、これら各エンジン回転数ＮＥにおいて、オーバーラップ期間Ｔ＿Ｏ／Ｌを変化させた際の図示平均有効圧ＢＭＥＰすなわちエンジン出力の変化を示す。図９における充填効率ηｃは、吸気ポート１７側において測定した吸気量すなわち、吸気ポート側から気筒１２内に流入したガス量を、気筒１２の容積で割った値である。
【００６３】
図９に示されるように、オーバーラップ期間Ｔ＿Ｏ／Ｌを大きくしていくと、それに応じて充填効率ηｃは増加していく。
【００６４】
しかしながら、エンジン回転数ＮＥが比較的高い２０００ｒｐｍでは、オーバーラップ期間Ｔ＿Ｏ／Ｌが所定量以上になると吸気量が減少していく。これは、低中速領域Ｒ１０においても、エンジン回転数ＮＥが高い側では、排気流量が大きくなることで背圧が高くなるとともに吸気バルブ１９の閉弁時期が遅角側に移行して吸気が気筒１２に十分に流入する前に吸気バルブ１９が閉じることにより、オーバーラップ期間Ｔ＿Ｏ／Ｌを大きくしすぎると気筒１２への吸気の流入が小さく抑えられるためと考えられる。
【００６５】
そこで、本エンジンシステム１００では、低中速領域Ｒ１０のうち、第２基準回転数（基準回転数）Ｎ２よりエンジン回転数ＮＥの高い中速領域Ｒ２では、低速領域Ｒ１よりもオーバーラップ期間を小さくする。具体的には、中速領域Ｒ２では、低速領域Ｒ１よりも排気バルブ２０の閉弁時期ＥＶＣが進角側に設定されて吸気バルブ１９の開弁時期ＩＶＯが遅角側に設定されている。
【００６６】
一方、エンジン回転数ＮＥが前記基準回転数Ｎ２より低いエンジン回転数ＮＥでは、オーバーラップ期間Ｔ＿Ｏ／Ｌを大きくすればするほど充填効率ηｃは増加していく。しかしながら、図１０に示されるように、オーバーラップ期間Ｔ＿Ｏ／Ｌが所定値以上では図示平均有効圧は増加しない。すなわち、オーバーラップ期間を充填効率ηｃが１００％以上となる期間以上の条件では、吸気は気筒１２を吹き抜けて排気マニホールド側に吹き抜けており、エンジン出力の増加に寄与していない。
【００６７】
そのため、エンジン出力の増加の観点からは、オーバーラップ期間を充填効率ηｃが１００％となる期間以上に大きくする必要はない。また、オーバーラップ期間を大きくしすぎると、オーバーラップ期間が比較的小さく設定された前記中速領域Ｒ２および高速領域Ｒ３とのオーバーラップ期間の差が大きくなり、低速領域Ｒ１からこれら領域へあるいはその逆方向の過渡時において、吸気バルブ１９および排気バルブ２０が十分に追従できず、吸気性能等が悪化するおそれがあり、このような観点においても、オーバーラップ期間を充填効率が１００％となる期間以上に大きくする必要はない。
【００６８】
一方、吸気すなわち空気が排気マニホールド５側に吹き抜ければ、排気マニホールド５、前記ケーシング６２内および触媒本体６４内での酸化反応が促進されて、触媒を早期に活性化させることができる。このように、触媒の早期活性化の観点からは、オーバーラップ期間を充填効率ηｃが１００％以上であってより多くの空気が吹き抜けるのが望ましい。
【００６９】
そこで、本エンジンシステム１００では、低速領域Ｒ１において、触媒本体６４の未活性時すなわち触媒の未活性時は、オーバーラップ期間を吸気が気筒１２を吹き抜ける期間であって充填効率ηｃが最大となる期間に設定する。一方、触媒本体６４の活性時すなわち触媒の活性時は、オーバーラップ期間を、充填効率ηｃが１００％以上となりエンジン出力が最大となる期間のうち最も短い期間に設定して、前記触媒の未活性時の期間よりも小さくする。
【００７０】
これにより、触媒の未活性時は、より多くの空気が排気マニホールド５等および触媒本体６４内に流入して触媒が早期に活性化されるとともに、触媒の活性時は、エンジン出力が高くされつつ吸気バルブ１９および排気バルブ２０等の応答性の悪化を抑制することができる。
【００７１】
以上のようにして、前記吸気バルブ１９および排気バルブ２０の目標バルブタイミングは、少なくともエンジン回転数ＮＥに応じてそれぞれ異なる値に設定されるとともに、前記低速領域Ｒ１では触媒未活性時と触媒活性時とにおいて目標バルブタイミングが異なる値に設定されており、ＥＣＵ２には、この触媒未活性用のマップと触媒活性用のマップとが記憶されている。また、エンジン回転数ＮＥに応じて前記流路面積変更バルブ５８の目標開度が設定されており、ＥＣＵ２には、このエンジン回転数ＮＥに対する目標開度のマップが記憶されている。
【００７２】
例えば、前記第１基準回転数Ｎ１は２０００ｒｐｍ、第２基準回転数Ｎ２は１５００ｒｐｍ、低速領域Ｒ１において、触媒未活性時のオーバーラップ期間は１１０℃Ａ、触媒活性時におけるオーバーラップ期間は８０℃Ａ、中速領域Ｒ２におけるオーバーラップ期間は６０℃Ａ、高速領域Ｒ３におけるオーバーラップ期間は４０℃Ａ以下に設定されている。
【００７３】
なお、本エンジンシステム１００において、前記吸気バルブ１９および排気バルブ２０の開弁時期、閉弁時期とは、それぞれ、図１２に示すように、各バルブのリフトカーブにおいてバルブのリフトが急峻に立ち上がるあるいは立ち下がる時期であり、例えば０．４ｍｍリフトの時期をいう。
【００７４】
次に、噴射量の演算について説明する。
【００７５】
前記ＥＣＵ２には、エンジン回転数ＮＥとエンジン負荷とに応じて予め設定された基準噴射量のマップが記憶されている。ＥＣＵ２は、運転条件に応じてこのマップから基準噴射量を抽出する。そして、ＥＣＵ２は、この基準噴射量に対して、触媒上流における排気の空気過剰率λがλ＝１となるように補正を行い、最終噴射量を決定する。具体的には、前記空燃比センサ６６の信号が０．５Ｖ未満であって前記排気の空気過剰率λが１．０以上であると検出された場合は、前記基準噴射量に対して所定量増量させた値を最終噴射量とし、前記空燃比センサ６６の信号が０．５Ｖ以上であって前記排気の空気過剰率λが１．０未満であると検出された場合は、前記基準噴射量に対して所定量減量させた値を最終噴射量とする。
【００７６】
この噴射量の演算は運転条件によらず実施されており、本エンジンシステム１００では、運転条件によらず触媒本体６２の上流において排気の空気過剰率λがλ＝１．０付近とされる。
【００７７】
ここで、本エンジンシステム１００では、低速領域Ｒ１において触媒の未活性時には、空気が気筒１２を吹き抜けるように構成されている。そのため、前記排気の空気過剰率λがλ＝１．０となる条件では、気筒１２にはこの吹き抜けた空気量と吹き抜けずに気筒１２内に留まった空気量に対して空燃比が理論空燃比となる噴射量が噴射され、気筒１２内の空気過剰率λはλ＜１．０となり、未燃燃料が排気ポート１８から排出される。このように、排気ポートから多くの未燃燃料が排出されると、触媒までの間で、気筒１２を吹きぬけた空気とこの未燃燃料とが酸化反応することにより排気の温度が上昇し、触媒がより早期に活性化される。特に、前記三元触媒は、空気過剰率λ＝１．０付近においてＣＯ、ＨＣ，ＮＯｘのいずれをも高い浄化率で浄化することができるものである。従って、このように排気の空気過剰率λが１．０付近とされることで、排気性能が良好に維持される。
【００７８】
次に、点火時期の演算について説明する。
【００７９】
前記ＥＣＵ２には、エンジン回転数ＮＥとエンジン負荷とに応じて予め設定された触媒活性時用の点火時期のマップと触媒未活性時用の点火時期のマップとが記憶されている。ＥＣＵ２は、触媒活性時には、触媒活性時用のマップから運転条件に応じて点火時期を抽出し、触媒未活性時には、触媒未活性時用のマップから運転条件に応じて点火時期を抽出する。前記触媒活性時用のマップでは、点火時期としてエンジン出力が最大となる点火時期いわゆるＭＢＴが設定されており、前記触媒未活性時用のマップでは、点火時期として、前記ＭＢＴよりも遅角側の時期が設定されている。このように、触媒未活性時には、より遅角側において点火がなされ、これにより、未燃燃料がより多く触媒本体６２側に排出される。このように、未燃燃料が多く触媒本体６２に排出されることで、触媒上流あるいは触媒本体６２内での酸化反応が促進され、触媒は早期に活性化される。
【００８０】
ＥＣＵ２の演算の全体の流れを図１１のフローチャートに基づいて説明する。
【００８１】
まず、ステップＳ１にて、前記エンジン水温センサ７０で検出されたエンジン水温Ｔｗ、クランク角センサ等の値に基づき算出されたエンジン回転数ＮＥ、およびエンジン回転数ＮＥとアクセル開度とに基づき算出されたエンジン負荷を読み込む。ここで、エンジン水温Ｔｗが高くエンジンの始動後十分に時間が経過していれば触媒は活性している。そこで、本実施形態では、エンジン水温Ｔｗに基づき触媒の活性状態を判定する。具体的には、エンジン水温Ｔｗが予め設定された触媒活性水温Ｔｗ１以上の場合を触媒活性時とし、エンジン水温Ｔｗが触媒活性水温Ｔｗ１未満の場合を触媒未活性時とする。
【００８２】
次に、ステップＳ２にて、前記エンジン水温Ｔｗが前記触媒活性水温Ｔｗ１以上であるかどうかを判定する。この判定がＹＥＳであってエンジン水温Ｔｗが触媒活性水温Ｔｗ１以上であり触媒が活性状態にある場合は、ステップＳ３に進み、前記触媒活性用の点火時期のマップからエンジン回転数ＮＥおよびエンジン負荷に基づき点火時期を抽出する。また、ステップＳ６にて、前記触媒活性用の目標バルブタイミングのマップからエンジン回転数ＮＥに基づき吸気バルブ１９および排気バルブ２０の目標バルブタイミングを抽出する。
【００８３】
一方、ステップＳ２にてＮＯと判定されて触媒が未活性状態にある場合は、ステップＳ４に進む。ステップＳ４では、前記触媒未活性用の点火時期のマップからエンジン回転数ＮＥおよびエンジン負荷に基づき前記ＭＢＴよりも遅角側に設定された点火時期を抽出する。その後、ステップＳ５に進む。
【００８４】
ステップＳ５では、エンジン回転数ＮＥが前記第２基準回転数Ｎ２以上であるかどうか、すなわち、現在の運転領域が前記中速領域Ｒ２あるいは高速領域Ｒ３であるかどうかが判定される。この判定がＹＥＳの場合はステップＳ６に進む。すなわち、中速領域Ｒ２および高速領域Ｒ３では、触媒の活性状態によらず同一の目標バルブタイミングが抽出される。一方、この判定がＮＯであって現在の運転領域が前記低速領域Ｒ１である場合には、ステップＳ７に進む。
【００８５】
ステップＳ７では、前記触媒未活性用の目標バルブタイミングのマップからエンジン回転数ＮＥに基づき、前記触媒活性用の目標バルブタイミングよりもオーバーラップ期間が長くなるように設定された、吸気バルブ１９および排気バルブ２０の目標バルブタイミングを抽出する。その後、ステップＳ８に進む。
【００８６】
ステップＳ８では、前記基本噴射量のマップからエンジン回転数ＮＥおよびエンジン負荷に基づき基本噴射量を抽出する。
【００８７】
次に、ステップＳ９にて、前記空燃比センサ６６が活性しているかどうかを判定する。具体的には、エンジン始動後所定時間（例えば２ｓ）経過していれば空燃比センサ６６が活性していると判定する。この判定がＮＯの場合すなわち空燃比センサ６６が活性していない場合は、ステップＳ１３に進む。
【００８８】
一方、この判定がＹＥＳの場合はステップＳ１０に進み、この空燃比センサ６６の値が０．５Ｖ以上であるかどうか、すなわち、触媒本体６２の上流の排気の空気過剰率λが１．０未満であるかどうかを判定する。この判定がＹＥＳの場合は、ステップＳ１１に進み、基本噴射量を所定量減量補正して最終噴射量を算出する。一方、このステップＳ１０での判定がＮＯの場合は、ステップＳ１２に進み基本噴射量を所定量増量補正して最終噴射量を算出する。その後、ステップＳ１３に進む。
【００８９】
ステップＳ１３では、算出された各点火時期、目標バルブタイミング、最終噴射量に基づき、点火装置、吸気ＶＶＴ３２および排気ＶＶＴ４２、噴射装置を駆動する。
【００９０】
以上のようにして、本エンジンシステム１００では、触媒未活性時には排気バルブ２０と吸気バルブ１９のオーバーラップ期間を大きくして排気ポート１８から触媒上流までの間および触媒内に多くの空気を導入してこれらの領域における酸化反応を促進させることで、触媒を早期に活性化させることができるとともに、触媒活性時には前記オーバーラップ期間をエンジン出力が最大となる範囲において小さくして他の領域への過渡時に排気バルブ２０あるいは吸気バルブ１９の追従性が悪化するのを抑制することができる。
【００９１】
ここで、前記空燃比センサ６６およびこの空燃比センサ６６を用いて噴射量を補正する制御は省略可能である。ただし、前記のように、空燃比センサ６６を用いて排気のλ＝１．０となるように噴射量を補正すれば、触媒の未活性時において前記気筒１２を吹き抜けた空気に対して適切な燃料を供給することができ、触媒上流側において酸化反応を促進させて触媒を早期に活性化させることができるとともに、未燃燃料が触媒をすり抜けて大気中に放出される、あるいは、触媒内の空気が過剰となることで触媒の温度上昇が抑制されるという事態をより確実に回避することができる。
【００９２】
また、触媒の未活性時においても、点火時期をＭＢＴとしてもよい。ただし、前記のように、触媒の未活性時に点火時期をより遅角側にすれば、排気の温度を高めることができるとともにより多くの未燃燃料を触媒側に排出することができ、触媒上流等での酸化反応を促進することができる。
【００９３】
また、前記実施形態では前記低速領域Ｒ１において前記流路面積可変バルブ５８が全閉位置に駆動される場合について説明したが、この低速領域Ｒ１における流路面積可変バルブ５８の位置は全閉位置に限らず、全開位置よりも閉じ側、すなわち、高速側通路５３の流路面積が最大面積よりも縮小される位置であればよい。
【００９４】
また、低速領域Ｒ１において、前記流路面積可変バルブ５８を全開位置と全閉位置との間で段階的あるいは連続的に変化するようにしてもよい。この場合には、エンジン回転数が高くなるほど高速側通路５３の流路面積が大きくなるように前記流路面積可変バルブ５８を駆動するのが好ましい。このようにすれば、エンジン回転数ＮＥが低く排気の流量が少ない領域では高速側通路５３の流路面積を絞ることでエゼクタ効果により掃気性能を高めることができる一方、エンジン回転数ＮＥが高く排気の流量が多い領域では高速側通路の流路面積を大きくすることで排気抵抗を小さく抑えることにより掃気性能を高めることができる。
【００９５】
また、前記実施形態では、前記各独立排気通路５２が低速側通路５４と高速側通路５３とに分離しており、流路面積可変バルブ５８が高速側通路５３を開閉することで独立排気通路５２の流路面積が変更される場合について示したが、独立排気通路５２の流路面積を変更するための構成はこれに限らない。例えば、独立排気通路５２を低速側通路５４と高速側通路５３とに分離せず、独立排気通路５２内にその流路面積を変更可能な流路面積可変バルブを設けてもよい。
【００９６】
また、触媒の位置は前記に限らない。ただし、本エンジンシステム１００によれば、エゼクタ効果により吸気効率を高めることができるため、ターボ過給機を有しないエンジンシステムにおいて有用である。そして、このようにターボ過給機を有しない場合には、触媒を前記実施形態のように各独立排気通路に直接接続されるようなより上流側の位置に配置することができ、これにより触媒に流入する排気の温度を高く維持して触媒を早期に活性させることができる。
【００９７】
また、低速領域Ｒ１のうちエンジン負荷の低い低負荷領域では、吸気の圧力が小さく、吸気バルブ１９と排気バルブ２０のオーバーラップ期間が大きいと排気が吸気側に逆流するおそれがあるため、このような場合には、吸気バルブ１９と排気バルブ２０のオーバーラップ期間を小さくするとともに、流路面積可変バルブ５８を全開としてもよい。
【符号の説明】
【００９８】
１  エンジン本体
５  排気マニホールド
６  触媒装置
１５  点火プラグ（点火手段）
１６  インジェクタ（燃料供給手段）
１７  吸気ポート
１８  排気ポート
１９  吸気バルブ
２０  排気バルブ
３０  吸気バルブ駆動機構（バルブ駆動手段）
３２  吸気ＶＶＴ（バルブタイミング可変機構）
４０  排気バルブ駆動機構（バルブ駆動手段）
４２  排気ＶＶＴ（バルブタイミング可変機構）
５２  独立排気通路
５８  流路面積可変バルブ
５８ｂ  バルブアクチュエータ（流路面積可変バルブ駆動手段）
６２ａ  ケーシング上流部分（集合部）
６４  触媒本体（触媒）
【図１】
0005515972.tif 000002
【図２】
0005515972.tif 000003
【図３】
0005515972.tif 000004
【図４】
0005515972.tif 000005
【図５】
0005515972.tif 000006
【図６】
0005515972.tif 000007
【図７】
0005515972.tif 000008
【図８】
0005515972.tif 000009
【図９】
0005515972.tif 000010
【図１０】
0005515972.tif 000011
【図１１】
0005515972.tif 000012
【図１２】
0005515972.tif 000013